(57)【特許請求の範囲】
【請求項１】
動物収容用構造物であって、
床部と、
前記床部と交差する壁部と、
動物用トイレ装置を押さえるために前記床部に配置されている金属製の金具と、
を備え、
前記金具は、前記動物用トイレ装置の二辺が前記壁部に接するように前記動物用トイレ装置が前記床部に載置された際の該二辺とは異なる他の辺の外側であって、該二辺の間の角の対角を挟む他の二辺の外側、且つ前記金具により前記動物用トイレ装置の水平方向の移動が規制される位置に配置されている、
動物収容用構造物。
【請求項２】
請求項１に記載の動物収容用構造物において、
前記金具は、前記他の二辺の外側に配置され前記他の二辺に沿って屈曲した形状を有する、
動物収容用構造物。
【請求項３】
請求項１または請求項２に記載の動物収容用構造物において、
前記金具は、前記他の二辺の外側において前記他の二辺に沿ってそれぞれ直線状に配置されている二つの副金具から成る、
動物収容用構造物。
【請求項４】
請求項１から請求項３までのいずれか一項に記載の動物収容用構造物において、
前記金具の外観形状は、Ｌ型アングル形状である、
動物収容用構造物。
【請求項５】
請求項１から請求項４までのいずれか一項に記載の動物収容用構造物において、
前記金具は、金属製パイプにより形成されている、
動物収容用構造物。
【発明の詳細な説明】
【技術分野】
【０００１】
本発明は、動物収容用構造物に関する。
【背景技術】
【０００２】
従来、動物の収容空間が形成された複数の構造物を集合させて成る動物展示室及びペット販売用ブース施設が提案されている（特許文献１ないし３参照）。上記各構造物では、動物の排泄物を吸収するための動物用トイレシートが取り付けられたトレー状の動物用トイレ装置が、床面に置かれて用いられる。
【先行技術文献】
【特許文献】
【０００３】
【特許文献１】特開２０１２−１９７２７号公報
【特許文献２】特開２０１０−１３０９９４号公報
【特許文献３】特開２００４−１８７６９３号公報
【発明の概要】
【発明が解決しようとする課題】
【０００４】
しかし、動物用トイレ装置が床面に置かれている状況では、動物が構造物内の収容空間を動き回る際に、動物用トイレ装置にぶつかり、動物用トイレ装置の位置がずれてしまうおそれがある。このような場合、動物用トイレ装置が構造物の前面のガラスパネル近傍に配置され、動物が収容空間の奥に居ることになり顧客からよく見えなくなるという問題や、排泄物が収容空間の前方に位置することになり顧客の印象を悪くするという問題が発生する。また、動物用トイレ装置の位置がずれる際に、動物用トイレ装置から動物用トイレシートが外れてしまい、構造物の床面が汚れたり、床面の排泄物を動物が踏むなどして動物が汚れたりするという問題が発生する。さらに、これらの問題の発生に伴い、管理者の清掃の手間が増える、あるいは、衛生環境が悪化するといった問題も生じ得る。このため、動物収容用構造物において、動物用トイレ装置の位置ずれを抑制する技術が望まれている。
【課題を解決するための手段】
【０００５】
本発明は、上述の課題の少なくとも一部を解決するためになされたものであり、以下の形態として実現することが可能である。
［形態１］動物収容用構造物であって、床部と；前記床部と交差する壁部と；動物用トイレ装置を押さえるために前記床部に配置されている金属製の金具と；を備え；前記金具は、前記動物用トイレ装置の二辺が前記壁部に接するように前記動物用トイレ装置が前記床部に載置された際の該二辺とは異なる他の辺の外側であって、該二辺の間の角の対角を挟む他の二辺の外側、且つ前記金具により前記動物用トイレ装置の水平方向の移動が規制される位置に配置されている、動物収容用構造物。
この形態の動物収容用構造物によれば、動物用トイレ装置の二辺が動物収容用構造物の壁部に接するように動物用トイレ装置が床部に載置され、該二辺の間の角の対角を挟む該二辺とは異なる他の二辺の外側に金具が配置されているので、動物用トイレ装置の水平方向の移動が抑制され、動物が動物用トイレ装置にぶつかった際等において、動物用トイレ装置の位置ずれを抑制できる。加えて、壁部と金具とにより動物用トイレ装置において互いに対角に位置する二つの部分の位置ずれを共に抑制できるので、動物用トイレ装置の位置ずれをより確実に抑制できる。
【０００６】
（１）本発明の一形態によれば、動物収容用構造物が提供される。この動物収容用構造物は、床部と;前記床部と交差する壁部と;動物用トイレ装置を押さえるために前記床部に配置されている金属製の金具と;を備え;前記金具は、前記動物用トイレ装置の少なくとも一辺が前記壁部に接するように前記動物用トイレ装置が前記床部に載置された際の該少なくとも一辺とは異なる他の辺の外側であって、前記金具により前記動物用トイレ装置の水平方向の移動が規制される位置に配置されている。
この形態の動物収容用構造物によれば、動物用トイレ装置の少なくとも一辺が動物収容用構造物の壁部に接するように床部に載置され、該少なくとも一辺とは異なる他の辺の外側に動物用トイレ装置を押さえるための金具が配置されているので、動物用トイレ装置の水平方向の移動が抑制され、動物が動物用トイレ装置にぶつかった際等において、動物用トイレ装置の位置ずれを抑制できる。
【０００７】
（２）上記形態の動物収容用構造物において、前記金具は、前記動物用トイレ装置の二辺が前記壁部に接するように前記動物用トイレ装置が前記床部に載置された際の該二辺とは異なる他の辺の外側であって、該二辺の間の角の対角を挟む他の二辺の外側に配置されていてもよい。この形態の動物収容用構造物によれば、動物用トイレ装置の二辺が動物収容用構造物の壁部に接するように動物用トイレ装置が床部に載置され、該二辺の間の角の対角を挟む該二辺とは異なる他の二辺の外側に金具が配置されているので、壁部と金具とにより動物用トイレ装置において互いに対角に位置する二つの部分の位置ずれを共に抑制できる。したがって、動物用トイレ装置の位置ずれをより確実に抑制できる。
【０００８】
（３）上記形態の動物収容用構造物において、前記金具は、前記他の二辺の外側に配置され前記他の二辺に沿って屈曲した形状を有してもよい。この形態の動物収容用構造物によれば、動物用トイレ装置の二辺が動物収容用構造物の壁部に接するように動物用トイレ装置が床部に載置され、該二辺の間の角の対角を挟む該二辺とは異なる他の二辺の外側に沿って屈曲した金具が配置されているので、動物用トイレ装置の位置ずれをより確実に抑制できる。加えて、屈曲した形状により金具自身の設置安定化を図ることができる。
【０００９】
（４）上記形態の動物収容用構造物において、前記金具は、前記他の二辺の外側において前記他の二辺に沿ってそれぞれ直線状に配置されている二つの副金具から成ってもよい。この形態の動物収容用構造物によれば、金具が二つの副金具から成るので、二つの副金具を配置する位置をそれぞれ適宜調整することにより、動物用トイレ装置の形状に合わせて動物用トイレ装置の移動を抑制するために適切な位置に配置できる。このため、動物用トイレ装置の位置ずれをより確実に抑制できる。
【００１０】
（５）上記形態の動物収容用構造物において、前記金具の外観形状は、Ｌ型アングル形状であってもよい。この形態の動物収容用構造物によれば、金具の外観形状は、Ｌ型アングル形状なので、金具全体としての設置安定化および軽量化を図ることができる。
【００１１】
（６）上記形態の動物収容用構造物において、前記金具は、金属製パイプにより形成されていてもよい。この形態の動物収容用構造物によれば、金具は金属製パイプにより形成されているので、金具全体の強度の向上および軽量化を図ることができる。
【図面の簡単な説明】
【００１２】
【図１】動物展示装置１００の上面図である。
【図２】図１に示すＡ−Ａ断面図である。
【図３】床部２０における動物用トイレ装置７０と金具６０の構成を拡大して示す斜視図である。
【図４】金具６０の構成を示す斜視図である。
【図５】第２実施形態としての動物収容用構造物１０ａにおける動物用トイレ装置７０の角Ｃ２近傍の拡大図である。
【図６】変形例における動物用トイレ装置７０と金具６０の配置位置を示す説明図である。
【発明を実施するための形態】
【００１３】
Ａ．第１実施形態：
Ａ１．動物収容用構造物の構成：
本発明の一実施形態としての動物収容用構造物１０を適用した動物展示装置１００の概略構成を、図１および図２を用いて説明する。図１は、動物展示装置１００の上面図である。図２は、図１に示すＡ−Ａ断面図である。図１および図２では、使用状態における動物展示装置１００を示している。また、図１および図２では、Ｚ軸が鉛直方向となり、Ｘ−Ｙ平面が水平面と平行になるように、Ｘ軸、Ｙ軸およびＺ軸が設定されている。
【００１４】
動物展示装置１００は、動物を収容して展示するために、例えば、ペットショップにおいて用いられる。動物展示装置１００は、互いにほぼ同じ構成を有する５つの動物収容用構造物１０をＸ軸方向に並べた構造を有する。図１および図２では、図示の便宜上、最も右側に位置する動物収容用構造物１０の構成要素にのみ符号を付し、他の動物収容用構造物の構成要素の符号は省略している。以降では、最も右側に位置する動物収容用構造物１０について代表して説明する。なお、最も右側の動物収容用構造物１０は、Ｘ軸方向の長さが大きい点で他の各動物収容用構造物１０と異なり、他の構成は他の各動物収容用構造物１０と同じである。最も右側に位置する動物収容用構造物１０の動物収容空間は、他の各動物収容用構造物１０に収容されている複数のペットを一時的に放し飼いするための空間や、複数のペットを展示するための空間として用いてもよい。
【００１５】
動物収容用構造物１０は、内部に動物を収容するための空間が形成された中空の箱状の外観形状を有する。動物収容用構造物１０は、床部２０と、互いに対向する壁部３０ａ、３０ｂと、前面パネル部４０と、背面部５０と、を備える。上述の動物収容空間は、床部２０と、壁部３０ａ、３０ｂと、前面パネル部４０と、背面部５０と、により画定される。壁部３０ａ、３０ｂ、前面パネル部４０および背面部５０は、請求項における壁部の下位概念に相当する。
【００１６】
床部２０は、板状の外観形状を有する。本実施形態において、床部２０は、木製の板状部材により形成されている。図１および図２に示すように、床部２０には、動物用トイレ装置７０が取り外し可能に載置されている。また、床部２０には、金具６０が取り付けられている。動物用トイレ装置７０は、床部２０において、＋Ｘ方向と＋Ｙ方向の隅、すなわち、動物収容用構造物１０を正面（前面パネル部４０側）から見て左奥隅に配置されている。動物用トイレ装置７０には、動物用トイレシートが着脱可能に取り付けられる。動物用トイレ装置７０の平面視形状は、略長方形である。図１に示すように、各動物収容用構造物１０では、動物用トイレ装置７０の長手方向がＹ軸と平行となり、短手方向がＸ軸と平行となるように、動物用トイレ装置７０が配置されている。より具体的には、動物用トイレ装置７０の短手方向の一辺Ｌ１は、背面部５０に接し、長手方向の一辺Ｌ２は、壁部３０ａに接している。金具６０は、略Ｌ字形の外観形状を有する金属製の金具であり、動物用トイレ装置７０の長手方向の他辺である辺Ｌ４の外側かつ短手方向の他辺である辺Ｌ３の外側に配置されている。金具６０の配置をより具体的に言えば、金具６０は、動物用トイレ装置７０の−Ｘ方向と−Ｙ方向との角において動物用トイレ装置７０の外周側に沿って配置されている。金具６０は、動物用トイレ装置７０の水平方向の移動を規制するために用いられる。動物用トイレ装置７０と金具６０の構成および配置については、後ほど詳しく述べる。
【００１７】
壁部３０ａ、３０ｂは、いずれも板状の外観形状を有し、互いに対向して配置されている。壁部３０ａ、３０ｂは、いずれも床部２０に直交して配置されている。なお、直交に限らず任意の角度で交差してもよい。上述の「交差する」とは、各部の内側面を延長して得られた面同士が交わることを意味する。本実施形態において、壁部３０ａ、３０ｂは、木製の板状部材により形成されている。なお、木製に限らず、例えば、光透過性を有する樹脂製の板状部材により形成されていてもよい。
【００１８】
前面パネル部４０は、板状の外観形状を有する。前面パネル部４０は、光透過性を有する樹脂製の板状部材により形成されている。前面パネル部４０は、床部２０と壁部３０ａ、３０ｂとにそれぞれ直交して配置されている。
【００１９】
背面部５０は、ドア部５１を備えている。動物展示装置１００の管理者は、ドア部５１を開閉し、動物収容空間の清掃等を行う。背面部５０には、厚み方向（Ｙ軸方向）に貫通する貫通孔５２が形成されている。貫通孔５２は、動物用の給水装置や、メンテナンス用具を取り付けるために用いられる。本実施形態では、動物収容用構造物１０は、天井部を備えていない。なお、天井部を備えてもよい。
【００２０】
Ａ２．動物用トイレ装置および金具の構成の配置：
図３は、床部２０における動物用トイレ装置７０と金具６０の構成を拡大して示す斜視図である。動物用トイレ装置７０は、本体部７１と枠部７２とを備え、動物用トイレシート８０が取り付けられる。動物用トイレシート８０の平面視形状は矩形である。本体部７１は、矩形の平面視形状を有する板状の部材である。枠部７２は、矩形の平面視輪郭形状を有する貫通孔が中央に形成された枠状の外観形状を有する。枠部７２は、本体部７１と係合するための一対の係合部７２１を有し、かかる一対の係合部７２１により、本体部７１に対して着脱自在に取り付けられる。
【００２１】
動物用トイレ装置７０への動物用トイレシート８０の取り付けは、以下のような手順により行われる。まず、本体部７１の上面に動物用トイレシート８０を載置し、次に、動物用トイレシート８０の縁部を本体部７１に押さえつけるように、枠部７２を動物用トイレシート８０の上から本体部７１に乗せ、一対の係合部７２１により枠部７２を本体部７１に係合させる。これにより、動物用トイレシート８０は、本体部７１からずれないように取り付けられ、また、枠部７２の中央の貫通孔から外部に露出する。このようにして動物用トイレシート８０が取り付けられた動物用トイレ装置７０は、枠部７２の貫通孔から露出した動物用トイレシート８０が上方に位置するように、すなわち、動物収容空間に面するように、床部２０に載置されて用いられる。
【００２２】
動物用トイレシート８０の交換は、以下のような手順により行われる。枠部７２を本体部７１から取り外す。使用済みの動物用トイレシート８０を本体部７１から取り外し、新たな動物用トイレシート８０を本体部７１に載置する。枠部７２を動物用トイレシート８０の上から本体部７１に乗せて一対の係合部７２１により本体部７１に係合させる。
【００２３】
動物用トイレ装置７０は、動物用トイレ装置７０の四辺のうち、短手方向の二辺Ｌ１、Ｌ３のうち＋Ｙ方向の辺Ｌ１が背面部５０と接するように背面部５０と平行に床部２０に載置されている。また、長手方向の二辺Ｌ２、Ｌ４のうち＋Ｘ方向の辺Ｌ２が壁部３０ａと接するように壁部３０ａと平行に床部２０に載置されている。ここで「辺」とは、動物用トイレ装置７０全体の平面視形状を略矩形と捉えた場合の辺を意味する。
【００２４】
金具６０は、Ｌ字型の外観形状を有し、動物用トイレ装置７０の長手方向の一辺Ｌ４と短手方向の一辺Ｌ３に沿って直角に屈曲している。また、金具６０には、４つのねじ穴６２ａ、６２ｂ、６２ｃおよび６２ｄが設けられている。これらのねじ穴には、木ねじが螺入されており、金具６０は、床部２０に固定されている。なお、床部２０に雌ねじを設けて金具６０と床部２０とを固定してもよい。金具６０の詳細な構成については、図４を用いて後述する。
【００２５】
図３に示すように、金具６０は、背面部５０と対向する辺Ｌ３と壁部３０ａと対向する辺Ｌ４の外側に配置され、また、背面部５０と接する辺Ｌ１と壁部３０ａと接する辺Ｌ２との間の角Ｃ１の対角Ｃ２を挟むように配置されている。このような動物用トイレ装置７０および金具６０の配置態様により、動物用トイレ装置７０は、背面部５０により＋Ｙ方向の移動が規制され、金具６０により−Ｙ方向の移動が規制される。また、動物用トイレ装置７０は、壁部３０ａにより＋Ｘ方向の移動が規制され、金具６０により−Ｘ方向の移動が規制される。したがって、動物収容空間に収容された動物が動物用トイレ装置７０にぶつかったとしても、動物用トイレ装置７０の位置ずれは抑制される。
【００２６】
図４は、金具６０の構成を示す斜視図である。図４に示すように、金具６０は、Ｌ字に屈曲した金属製の角パイプの両端に開口端をふさぐ蓋が取り付けられた構造を有する。金具６０は、第１の直線状部６１ａと、第２の直線状部６１ｂと、第１の蓋部６３ａと、第２の蓋部６３ｂと、から成る。第１の直線状部６１ａおよび第２の直線状部６１ｂは、互いに同じ構成を有する。具体的には、第１の直線状部６１ａおよび第２の直線状部６１ｂでは、直線状の角パイプの一方の端面が軸方向に対して４５°の角度をなすように形成され、他方の端面が軸方向に対して９０°の角度をなすように形成されている。各直線状部６１ａ、６１ｂのＺ軸方向に沿った断面の輪郭形状は、略正方形である。各直線状部６１ａ、６１ｂの断面の一辺（外径）ｄ１は、例えば１２ｍｍとしてもよい。
【００２７】
金具６０は、以下のようにして作製される。まず、スチール製の角パイプを所定の長さで斜めに（４５°の角度で）切断する。切断後の一方の部材（直線状部）を回転させてから切断面同士を接して配置し、切断面を溶接する。これにより、接合部分が金具６０の屈曲部分となる。また、かかる屈曲部分には、溶接線６１１が形成されることとなる。金具６０における第１の直線状部６１ａの＋Ｙ方向の端部に、第１の蓋部６３ａが嵌合される。また、金具６０における第２の直線状部６１ｂの＋Ｘ方向の端部に、第２の蓋部６３ｂが嵌合される。ここで、第１の蓋部６３ａおよび第２の蓋部６３ｂは、金具６０と同様に、金属製である。また、第１の蓋部６３ａおよび第２の蓋部６３ｂは、互いに同じ構成を有する。第１の蓋部６３ａの−Ｙ方向の端部には、第１の直線状部６１ａのパイプ穴に嵌合するような凸部が形成されている。また、第２の蓋部６３ｂの−Ｘ方向の端部には、第１の蓋部６３ａと同様に、第２の直線状部６１ｂのパイプ穴に嵌合するような凸部が形成されている。第１の蓋部６３ａと第１の直線状部６１ａとが嵌合させられ、また、第２の蓋部６３ｂと第２の直線状部６１ｂとが嵌合させられた後、嵌合部分が溶接され、金具全体にメッキ加工が施される。本実施形態では、かかる加工には、クロームメッキが用いられる。その後、４つのねじ穴６２ａ、６２ｂ、６２ｃおよび６２ｄが形成され、金具６０が完成する。なお、ねじ穴の数は、４つに限らず任意の数としてもよい。またねじ穴の位置も任意の位置に形成してもよい。
【００２８】
以上説明した第１実施形態の動物収容用構造物１０は、動物用トイレ装置７０の辺Ｌ２が壁部３０ａと接し、辺Ｌ１が背面部５０と接するように、動物用トイレ装置７０が床部２０に載置されている。また、辺Ｌ１と辺Ｌ４とに挟まれる角Ｃ１の対角Ｃ２を挟む辺Ｌ３と辺Ｌ４に沿って、辺Ｌ３とＬ４の外側に金具６０が配置され、床部２０に固定されている。したがって、動物用トイレ装置７０は、壁部３０ａと背面部５０と金具６０とにより、水平方向の移動が抑制される。このため、動物が動物用トイレ装置７０にぶつかった際等において、動物用トイレ装置７０の位置ずれを抑制できる。また、金具６０は、対角Ｃ２を挟む辺Ｌ３と辺Ｌ４に沿って屈曲した形状を有するので、動物用トイレ装置７０の位置ずれをより確実に抑制できる。加えて、屈曲形状により、金具６０自身の設置安定化を図ることができる。また、金具６０は、金属製パイプにより形成されているので、金具６０全体の強度の向上および軽量化を図ることができる。
【００２９】
Ｂ．第２実施形態：
図５は、第２実施形態としての動物収容用構造物１０ａにおける動物用トイレ装置７０の角Ｃ２近傍の拡大図である。第２実施形態の動物収容用構造物１０ａは、金具６０に代えて金具６０ａを備えている点において、第１実施形態の動物収容用構造物１０と異なる。第２実施形態の動物収容用構造物１０ａにおけるその他の構成は、第１実施形態の動物収容用構造物１０と同じであるので、同一の構成要素には同一の符号を付し、その詳細な説明は省略する。
【００３０】
金具６０ａは、第１の副金具６０１と、第２の副金具６０２との二つの副金具から成る。第１の副金具６０１および第２の副金具６０２は、スチールにより形成されており、Ｌ型アングル形状を有する。第１の副金具６０１は、動物用トイレ装置７０の短手方向の一辺Ｌ３に沿って直線状に配置されている。第１の副金具６０１の屈曲した内側の二つの面のうち、一方の面は、Ｘ‐Ｚ平面と平行であり、動物用トイレ装置７０の−Ｙ方向の端面と接している。また、他方の面は、Ｘ‐Ｙ平面と平行であり、動物用トイレ装置７０の底面と接している。第２の副金具６０２は、動物用トイレ装置７０の長手方向の一辺Ｌ４に沿って直線状に配置されている。第２の副金具６０２の屈曲した内側の二つの面のうち、一方の面は、Ｙ‐Ｚ平面と平行であり、動物用トイレ装置７０の−Ｘ方向の端面と接している。また、他方の面は、Ｘ‐Ｙ平面と平行であり、動物用トイレ装置７０の底面と接している。第１の副金具６０１は、２つの木ねじにより２箇所６２ｃ、６２ｄでねじ止めされ、床部２０に固定されている。同様に、第２の副金具６０２は、２つの木ねじにより２箇所６２ａ、６２ｂでねじ止めされ、床部２０に固定されている。
【００３１】
以上の構成を有する第２実施形態の動物収容用構造物１０ａでは、第１実施形態の動物収容用構造物１０と同様に、動物用トイレ装置７０の辺Ｌ２が壁部３０ａと接するとともに、辺Ｌ１が背面部５０と接するように、動物用トイレ装置７０が床部２０に載置されている。また、辺Ｌ３と辺Ｌ４のそれぞれ外側には、第１の副金具６０１が辺Ｌ３と平行に配置され、第２の副金具６０２が辺Ｌ４と平行に配置され、それぞれ床部２０に固定されている。したがって、動物用トイレ装置７０は、背面部５０により＋Ｙ方向の移動が規制され、第１の副金具６０１により−Ｙ方向の移動が規制される。また、動物用トイレ装置７０は、壁部３０ａにより＋Ｘ方向の移動が規制され、第２の副金具６０２により−Ｘ方向の移動が規制される。したがって、動物収容空間に収容された動物が動物用トイレ装置７０にぶつかったとしても、動物用トイレ装置７０の位置ずれが抑制される。加えて、金具６０ａは、互いに独立した２つの副金具６０１、６０２から成るので、２つの副金具６０１、６０２を配置する位置をそれぞれ適宜調整することができ、動物用トイレ装置７０の形状に合わせて動物用トイレ装置７０の移動を抑制するために適切な位置に配置できる。このため、動物用トイレ装置７０の位置ずれをより確実に抑制できる。また、２つの副金具６０１、６０２の外観形状は、Ｌ型アングル形状を有するので、金具６０ａ全体としての設置安定化および軽量化を図ることができる。また、各副金具６０１、６０２において、屈曲した内側の二つの面のうち、一方の面が動物用トイレ装置７０の底面と接するように配置されているので、かかる一方の面が動物用トイレ装置７０によって隠れることとなる。このため、かかる面を有する部分が床部２０に露出する構成に比べて、各副金具６０１、６０２に動物の足がぶつかることを抑制でき、安全性を向上できる。
【００３２】
Ｃ．変形例：
Ｃ１．変形例１：
上記各実施形態では、動物用トイレ装置７０の配置位置は、床部２０における＋Ｘ方向と＋Ｙ方向との角であったが、本発明はこれに限定されない。床部２０の他の３つの角（隅）に配置されてもよい。また、壁部３０ａ、３０ｂ、背面部５０および前面パネル部４０のいずれかに動物用トイレ装置７０の一辺のみが接する位置に配置されてもよい。また、動物用トイレ装置７０の配置位置に応じて金具６０の配置位置および形状を変更してもよい。
【００３３】
図６は、変形例における動物用トイレ装置７０と金具６０の配置位置を示す説明図である。図６（ａ）は、変形例における動物用トイレ装置７０と金具６０の配置位置の第１の態様を示す。また、図６（ｂ）は、変形例における動物用トイレ装置７０と金具６０の配置位置の第２の態様を、図６（ｃ）は、変形例における動物用トイレ装置７０と金具６０の配置位置の第３の態様を、図６（ｄ）は、変形例における動物用トイレ装置７０と金具６０の配置位置の第４の態様を、図６（ｅ）は、変形例における動物用トイレ装置７０と金具６０の配置位置の第５の態様を、それぞれ示す。図６（ａ）から図６（ｅ）では、いずれも−Ｚ方向に見たときの動物用トイレ装置７０と金具６０の配置を示している。なお、変形例１における動物収容用構造物の構成は、動物用トイレ装置７０と金具６０の配置位置を除き、上記第１実施形態の動物収容用構造物１０の構成と同じである。
【００３４】
図６（ａ）に示す変形例における第１の態様は、動物用トイレ装置７０の辺Ｌ２が壁部３０ａに接していない点と、金具６０に代えて２つの金具６０ａ１および６０ａ２を備える点とで、各実施形態と異なる。２つの金具６０ａ１、６０ａ２は、いずれも第１実施形態の金具６０と同様の構成を有する。金具６０ａ１は、動物用トイレ装置７０の四辺のうち、辺Ｌ３と辺Ｌ２の角の外側に配置されている。また、金具６０ａ２は、辺Ｌ３と辺Ｌ４の角の外側に配置されている。このような第１の態様では、背面部５０と、２つの金具６０ａ１、６０ａ２とにより、動物用トイレ装置７０のＹ軸に沿った移動を抑制できる。また、２つの金具６０ａ１、６０ａ２により、動物用トイレ装置７０のＸ軸方向に沿った移動を抑制できる。なお、上述した変形例の第１の態様において、２つの金具６０ａ１、６０ａ２に代えて、第１実施形態における金具６０を用いてもよいし、第２実施形態における二つの副金具６０１、６０２からなる金具６０ａを用いてもよい。
【００３５】
図６（ｂ）に示す変形例における第２の態様では、動物用トイレ装置７０の配置は、各実施形態と同じである。金具６０ｂは、第２実施形態の金具６０ａにおける第１の副金具６０１と同様の構成を有する。金具６０ｂは、辺Ｌ４に沿ってのみ配置される。かかる態様では、壁部３０ａと金具６０ｂとにより、動物用トイレ装置７０のＸ軸方向の移動を抑制できる。
【００３６】
図６（ｃ）に示す変形例における第３の態様では、動物用トイレ装置７０の配置は、各実施形態および上述した第２の態様と同じである。金具６０ｃは、第２実施形態の金具６０ａにおける第１の副金具６０１と同様の構成を有する。但し、第３の態様では、第２実施形態とは異なり、単一の金具のみ用いられる。金具６０ｃは、辺Ｌ３に沿ってのみ配置される。かかる態様では、背面部５０と金具６０ｃとにより、動物用トイレ装置７０のＹ軸方向の移動を抑制できる。
【００３７】
図６（ｄ）に示す変形例における第４の態様では、動物用トイレ装置７０の配置は、上述した変形例の第１の態様と同様である。金具６０ｄは、第２実施形態の金具６０ａにおける第１の副金具６０１と同様の構成を有する。但し、第４の態様では、第２実施形態とは異なり、単一の金具のみ用いられる。金具６０ｄは、辺Ｌ３に沿って配置されている。また、辺Ｌ３における中央部分に配置されている。かかる態様では、背面部５０と、金具６０ｄとにより、動物用トイレ装置７０のＹ軸方向に沿った移動が抑制できる。
【００３８】
図６（ｅ）に示す変形例における第５の態様では、動物用トイレ装置７０の配置は、上述した変形例における第１の態様および第４の態様と同様である。金具６０ｅは、第２実施形態の金具６０ａにおける第１の副金具６０１と同様の構成を有する。但し、第５の態様では、第２実施形態とは異なり、単一の金具のみ用いられる。金具６０ｅは、辺Ｌ４に沿って配置されている。かかる態様では、辺Ｌ４と対向する辺Ｌ２が壁部３０ａと接していないので、動物用トイレ装置７０の＋Ｘ方向への移動を抑制できないが、少なくとも金具６０ｅよりも−Ｘ側への動物用トイレ装置７０の移動を抑制できる。
【００３９】
Ｃ２．変形例２：
上記各実施形態および変形例では、動物収容用構造物１０は、Ｘ軸方向に沿って５つ並べて用いられていたが、本発明はこれに限定されない。動物収容用構造物１０は、１つのみ独立して用いられてもよい。また、Ｎ個（Ｎは、２以上の整数）並べて用いられてもよい。これらの構成においても、動物収容用構造物１０のそれぞれの床部２０に載置された動物用トイレ装置７０の水平方向の移動を規制するための金具６０、６０ａが配置されているため、実施形態と同様の効果を得ることができる。
【００４０】
Ｃ３．変形例３：
上記各実施形態および変形例では、金具６０は、スチール製の角パイプにより形成されていたが、本発明はこれに限定されない。例えば、チタン等の任意の金属を用いて形成されてもよいし、丸パイプにより形成されてもよい。また、動物用トイレ装置７０の水平移動を規制可能な任意の大きさのパイプを使用してもよい。これらの構成においても、実施形態と同様の効果を得ることができる。
【００４１】
Ｃ４．変形例４：
上記各実施形態および変形例では、金具６０は、クロームメッキ加工が施されていたが、クロームメッキに代えて、亜鉛などの他の任意の金属メッキにより加工してもよい。これらの構成においても、実施形態と同様の効果を得ることができる。
【００４２】
Ｃ５．変形例５：
上記各実施形態および変形例の動物収容用構造物１０の構成は一例に過ぎず、その効果を奏する範囲において、任意に構成要素を変更および省略してもよい。また、このような構成においても、実施形態と同様の効果を奏する。すなわち、一般には、動物用トイレ装置７０の少なくとも一辺が壁部に接するように動物用トイレ装置７０が床部２０に載置された際に、該少なくとも一辺とは異なる他の辺の外側であって動物用トイレ装置７０の水平方向の移動が規制される位置に金具６０、６０ａが配置される構成であればよい。このような構成においても、実施形態と同様の効果を奏する。
【００４３】
本発明は、上述の実施形態および変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４４】
１０、１０ａ…動物収容用構造物
２０…床部
３０ａ…壁部
４０…前面パネル部
５０…背面部
５１…ドア部
５２…貫通孔
６０、６０ａ、６０ａ１、６０ａ２、６０ｂ、６０ｃ、６０ｄ、６０ｅ…金具
６１ａ…第１の直線状部
６１ｂ…第２の直線状部
６２ａ…ねじ穴
６３ａ…第１の蓋部
６３ｂ…第２の蓋部
７０…動物用トイレ装置
７１…本体部
７２…枠部
８０…動物用トイレシート
１００…動物展示装置
６０１…第１の副金具
６０２…第２の副金具
６１１…溶接線
７２１…係合部
Ｃ１…角
Ｃ２…対角
Ｌ１、Ｌ２、Ｌ３、Ｌ４…辺
【要約】      （修正有）【課題】動物収容用構造物において、動物用トイレ装置の位置がずれることを抑止する構造物の提供。【解決手段】動物収容用構造物は、床部２０と、床部２０と交差する壁部３０ａと、動物用トイレ装置７０を押さえるために床部２０に配置されている金属製の金具６０と、を備え、金具６０は、動物用トイレ装置７０の一辺Ｌ２が壁部３０ａに接するように動物用トイレ装置７０が床部２０に載置された際、該一辺Ｌ２とは異なる他の辺Ｌ４の外側であって、Ｘ方向の移動を規制し、動物用トイレ装置７０の一辺Ｌ１が背面部５０に接するように動物用トイレ装置７０が床部２０に載置された際、該一辺Ｌ１とは異なる他の辺Ｌ３の外側であって、Ｙ方向の移動を規制する。動物用トイレ装置７０の水平方向の移動が金具６０により規制されることになる。【選択図】図３【図１】
0006010710.tif 000002
【図２】
0006010710.tif 000003
【図３】
0006010710.tif 000004
【図４】
0006010710.tif 000005
【図５】
0006010710.tif 000006
【図６】
0006010710.tif 000007